【手続補正書】
【提出日】平成18年12月27日(2006.12.27)
【手続補正１】
【補正対象書類名】明細書
【補正対象項目名】発明の名称
【補正方法】変更
【補正の内容】
【発明の名称】画像処理装置、画像処理方法及び記憶媒体
【手続補正２】
【補正対象書類名】明細書
【補正対象項目名】特許請求の範囲
【補正方法】変更
【補正の内容】
【特許請求の範囲】
【請求項１】  画像ファイルデータを画像処理する方法と上記画像ファイルデータの出力形式とを定義したプロパティファイルに基づいて画像処理を行う画像処理装置であって、
上記画像ファイルデータと、上記画像ファイルデータの変更を許可するための鍵情報と、上記プロパティファイルとを記憶した着脱可能なメモリ媒体から、上記画像ファイルデータと、上記鍵情報と、上記プロパティファイルとを入力する入力手段と、
上記入力手段によって入力された画像ファイルデータと鍵情報とから上記画像ファイルデータが変更されたか否かを判定する判定手段と、
上記判定手段による判定結果と上記プロパティファイルとに基づいて、上記画像ファイルデータの画像処理の実行を制御する制御手段とを有することを特徴とする画像処理装置。
【請求項２】  上記プロパティファイルには、印刷を実行するために用いられる画像処理する方法が定義されていることを特徴とする請求項１に記載の画像処理装置。
【請求項３】  上記プロパティファイルには、上記判定手段による判定結果に基づいて上記制御手段が制御する内容が定義されていることを特徴とする請求項１に記載の画像処理装置。
【請求項４】  上記入力手段によって入力された画像ファイルデータは電子署名を含んでおり、
上記鍵情報を用いて上記電子署名を復号化する電子署名復号化手段を有することを特徴とする請求項１〜３の何れか１項に記載の画像処理装置。
【請求項５】  上記判定手段は、上記電子署名復号化手段によって得られる情報と、予め定められた方法によって上記画像ファイルデータから算出されて得られる情報とを比較して判定を行うことを特徴とする請求項４に記載の画像処理装置。
【請求項６】  画像ファイルデータを画像処理する方法と上記画像ファイルデータの出力形式とを定義したプロパティファイルに基づいて画像処理を行う画像処理方法であって、
上記画像ファイルデータと、上記画像ファイルデータの変更を許可するための鍵情報と、上記プロパティファイルとを着脱可能なメモリ媒体から入力する入力ステップと、
上記入力ステップにおいて入力された画像ファイルデータと鍵情報とから上記画像ファイルデータが変更されたか否かを判定する判定ステップと、
上記判定ステップにおける判定結果と上記プロパティファイルとに基づいて、上記画像ファイルデータの画像処理の実行を制御する制御ステップとを有することを特徴とする画像処理方法。
【請求項７】  請求項６に記載の画像処理方法の各ステップをコンピュータに実行させるためのプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は画像処理装置、画像処理方法及び記憶媒体に関し、さらに詳しくは、電子署名を施すことで画像ファイルデータの信頼性を向上させることが可能な画像処理システム及び画像処理方法に関する。
【手続補正４】
【補正対象書類名】明細書
【補正対象項目名】０００９
【補正方法】変更
【補正の内容】
【０００９】
【課題を解決するための手段】
上記目的を達成するために、本発明の画像処理装置は、画像ファイルデータを画像処理する方法と上記画像ファイルデータの出力形式とを定義したプロパティファイルに基づいて画像処理を行う画像処理装置であって、上記画像ファイルデータと、上記画像ファイルデータの変更を許可するための鍵情報と、上記プロパティファイルとを記憶した着脱可能なメモリ媒体から、上記画像ファイルデータと、上記鍵情報と、上記プロパティファイルとを入力する入力手段と、上記入力手段によって入力された画像ファイルデータと鍵情報とから上記画像ファイルデータが変更されたか否かを判定する判定手段と、上記判定手段による判定結果と上記プロパティファイルとに基づいて、上記画像ファイルデータの画像処理の実行を制御する制御手段とを有することを特徴としている。
【手続補正５】
【補正対象書類名】明細書
【補正対象項目名】００１０
【補正方法】変更
【補正の内容】
【００１０】
本発明の画像処理方法は、画像ファイルデータを画像処理する方法と上記画像ファイルデータの出力形式とを定義したプロパティファイルに基づいて画像処理を行う画像処理方法であって、上記画像ファイルデータと、上記画像ファイルデータの変更を許可するための鍵情報と、上記プロパティファイルとを着脱可能なメモリ媒体から入力する入力ステップと、上記入力ステップにおいて入力された画像ファイルデータと鍵情報とから上記画像ファイルデータが変更されたか否かを判定する判定ステップと、上記判定ステップにおける判定結果と上記プロパティファイルとに基づいて、上記画像ファイルデータの画像処理の実行を制御する制御ステップとを有することを特徴としている。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の記憶媒体は、上記画像処理方法の各ステップをコンピュータに実行させるためのプログラムを記憶したことを特徴としている。
【手続補正８】
【補正対象書類名】明細書
【補正対象項目名】００１３
【補正方法】変更
【補正の内容】
【００１３】
【発明の実施の形態】
次に、本発明の画像処理装置、画像処理方法及び記憶媒体の実施の形態を、図面を参照しながら説明する。
（第１の実施の形態）
図１は、第１の実施形態における画像処理システムの全体構成を示すブロック図である。図１に示したように、この画像処理システムはリーダ部（画像入力装置）２００と、プリンタ部（画像出力装置）３００とで構成されている。
【手続補正９】
【補正対象書類名】明細書
【補正対象項目名】００９３
【補正方法】変更
【補正の内容】
【００９３】
これらの秘密鍵や公開鍵、そして署名や画像ファイルデータは、ユーザの選択によりメモリカード２７５の対象装置以外の書き込み不可領域に保存することもできる（ステップＳ１４１１及びステップ１４１２）。
以上のような実施形態によれば、メモリ媒体に保存されている署名付き画像ファイルデータを画像処理システムに転送し出力しようとする場合、上記画像処理システム内で一方向性関数を用いて算出される上記画像ファイルデータのメッセージダイジェスト値と、上記署名を復号する公開鍵を用いて復号化される値とを比較検討することによって、上記画像ファイルデータが改ざんされたかどうか確実に判別することが可能となり、メモリ媒体に格納した画像の信頼性を大幅に向上させることができる。
また、ユーザに委ねる選択をプロパティファイルに記述することにより、ユーザはより容易に画像ファイルデータを検証・出力することができる。
また、画像処理システムがネットワークを介してホストコンピュータと接続されていることを利用して、画像処理システム以外のメモリカード(I/F)に接続されたメモリ媒体から、画像ファイルデータを画像処理システムに転送することができ、ユーザはより容易に画像ファイルデータの出力・検証を行うことができる。
また、リーダ部により取り込まれた画像ファイルデータやホストコンピュータにおいて作成された画像ファイルデータをメモリ媒体に保存する際に、一方向性関数を用いて上記画像ファイルデータのメッセージダイジェスト値を算出し、秘密鍵を用いて上記メッセージダイジェスト値を署名し、上記画像ファイルデータとともに上記メモリ媒体に保存するようにしたので、上記画像ファイルデータの改ざんを確実に防止することができ、上記画像ファイルデータの信頼性を向上させることができる。
【手続補正１０】
【補正対象書類名】明細書
【補正対象項目名】００９９
【補正方法】変更
【補正の内容】
【００９９】
【発明の効果】
以上説明したように、本発明によれば、画像ファイルデータが改ざんされたかどうか確実に判別することが可能となり、メモリ媒体に格納した画像の信頼性を大幅に向上させることができる。
【手続補正１１】
【補正対象書類名】明細書
【補正対象項目名】０１００
【補正方法】削除
【補正の内容】
【手続補正１２】
【補正対象書類名】明細書
【補正対象項目名】０１０１
【補正方法】削除
【補正の内容】
【手続補正１３】
【補正対象書類名】明細書
【補正対象項目名】０１０２
【補正方法】削除
【補正の内容】